(57)【要約】【課題】  ビデオ画像記録装置を設置する際の作業性を向上させると共に、ビデオカメラ装置の操作性を向上させ、また、長時間記録可能にする。【解決手段】  本発明のビデオ画像記録装置８は、各種のＦＡ機器２、３、４が接続されたＬＡＮ１に接続されパン・チルト・ズーム機能を遠隔操作可能なビデオカメラ装置５を備え、ＬＡＮ１に接続されビデオカメラ装置５から送信されたビデオ画像データを受信して記録開始条件が成立した時点でビデオ画像データを記録する記録手段６を備え、前記記録開始条件を設定する記録開始条件設定手段６を備え、前記ビデオカメラ装置５へ指令送信条件が成立した時点でパン・チルト・ズーム機能を動作させる操作指令を送信する指令送信手段６を備え、そして、前記指令送信条件を設定する指令送信条件設定手段６を備えて成るものである。【選択図】  図１
2005151294.tif 000002
【特許請求の範囲】
【請求項１】
産業用ロボット等の各種のＦＡ機器が接続されたＬＡＮに接続され、パン・チルト・ズーム機能を前記ＬＡＮを介して遠隔操作可能なビデオカメラ装置と、
前記ＬＡＮに接続され、前記ビデオカメラ装置から送信されたビデオ画像データを受信して記録開始条件が成立した時点で前記ビデオ画像データを記録する記録手段と、
前記記録開始条件を設定する記録開始条件設定手段と、
前記ビデオカメラ装置へ、指令送信条件が成立した時点で、パン・チルト・ズーム機能を動作させる操作指令を送信する指令送信手段と、
前記指令送信条件を設定する指令送信条件設定手段とを備えたことを特徴とするビデオ画像記録装置。
【請求項２】
前記各種のＦＡ機器から出力される種々の情報を前記ＬＡＮを介して取得する情報取得手段を備え、
前記記録手段は、前記ビデオ画像データと対応させて、前記情報取得手段により取得された情報を記録するように構成されていることを特徴とする請求項１記載のビデオ画像記録装置。
【請求項３】
前記記録手段は、前記ビデオ画像データを設定データ量だけ記録するように構成されていることを特徴とする請求項１または２記載のビデオ画像記録装置。
【請求項４】
前記記録手段は、前記記録開始条件が成立した時点よりも前の時点から前記ビデオ画像データを記録するように構成されていることを特徴とする請求項３記載のビデオ画像記録装置。
【発明の詳細な説明】
【技術分野】
【０００１】
本発明は、工場の生産設備等に配設されたＦＡ機器（産業用ロボット等）の動作をビデオ撮影して記録するビデオ画像記録装置に関する。
【背景技術】
【０００２】
この種のビデオ画像記録装置の一例として、特許文献１に記載されたロギング装置が知られている。このロギング装置は、ビデオカメラと、マイクロフォンと、ビデオカメラから出力されたビデオ画像情報とマイクロフォンから出力された音響情報とを記録する記録装置とを備えている。上記ロギング装置を生産設備等に設置した状態で、異常が発生して異常トリガ信号が上記ロギング装置に与えられると、その時点からビデオ画像情報と音響情報とが記録装置に記録されるように構成されている。
【特許文献１】特開２０００ー２５９２３７号公報
【発明の開示】
【発明が解決しようとする課題】
【０００３】
上記ロギング装置を生産設備（生産ライン）等の産業用ロボット（ＦＡ機器）の周辺に設置する場合、ロボットの周辺には空きスペースが少ないという事情や、ロギング装置はビデオカメラとマイクロフォンと記録装置とを備えた構成であり、ある程度大きな構成であるという事情があるので、上記ロギング装置を設置する作業はかなり困難な作業となるおそれがあった。
【０００４】
また、上記ロギング装置のビデオカメラのパン・チルト・ズーム機能を動作させたい場合には、ユーザーがビデオカメラ（ロギング装置）の設置場所までいって上記各機能を手動操作しなければならず、かなり面倒な操作であった。更に、ロギング装置に組み込む記録装置の記録容量には、ある程度制限があるので、ビデオ画像情報をユーザーが望むだけ記録することができなかった。
【０００５】
本発明の目的は、ビデオ画像記録装置を設置する際の作業性を向上させることができ、また、ビデオカメラの操作性を向上させることができる等の効果を奏するビデオ画像記録装置を提供するにある。
【課題を解決するための手段】
【０００６】
本発明のビデオ画像記録装置は、産業用ロボット等の各種のＦＡ機器が接続されたＬＡＮに接続され、パン・チルト・ズーム機能を前記ＬＡＮを介して遠隔操作可能なビデオカメラ装置と、前記ＬＡＮに接続され、前記ビデオカメラ装置から送信されたビデオ画像データを受信して記録開始条件が成立した時点で前記ビデオ画像データを記録する記録手段と、前記記録開始条件を設定する記録開始条件設定手段と、前記ビデオカメラ装置へ、指令送信条件が成立した時点で、パン・チルト・ズーム機能を動作させる操作指令を送信する指令送信手段と、前記指令送信条件を設定する指令送信条件設定手段とを備えて成るところに特徴を有する。この構成の場合、ビデオカメラ装置と記録手段をそれぞれＬＡＮに接続するように、即ち、ビデオカメラ装置と記録手段を分散配置するように構成しているので、ビデオカメラ装置の構成が小さくなり、ビデオカメラ装置（ひいてはビデオ画像記録装置）を設置する際の作業性を向上させることができる。
【０００７】
また、ビデオカメラ装置は、パン・チルト・ズーム機能を前記ＬＡＮを介して遠隔操作可能な構成であるので、操作性に優れたものである。更に、記録手段は、ＬＡＮに接続する構成であるので、ユーザーが望む記録容量のものを容易に使用することができ、ビデオ画像情報をユーザーが望むだけ記録する（長時間記録する）ことが可能となる。
また、上記構成の場合、前記各種のＦＡ機器から出力される種々の情報を前記ＬＡＮを介して取得する情報取得手段を備え、前記記録手段は、前記ビデオ画像データと対応させて、前記情報取得手段により取得された情報を記録するように構成されていることが好ましい。
【０００８】
更に、前記記録手段は、前記ビデオ画像データを設定データ量だけ記録するように構成されていることが良い構成である。更にまた、前記記録手段は、前記記録開始条件が成立した時点よりも前の時点から前記ビデオ画像データを記録するように構成されていることがより一層好ましい。
【発明を実施するための最良の形態】
【０００９】
以下、本発明の一実施例について、図面を参照しながら説明する。まず、図１は、本実施例のビデオ画像記録装置が設置された工場の生産設備の電気的構成を概略的に示すブロック図である。
この図１に示すように、工場には、工場内ネットワーク（ＬＡＮ）１が配設されており、この工場内ネットワーク１には各種のＦＡ機器、例えばＰＬＣ（プログラマブルコントローラ）２、産業用ロボット３、産業用ロボット４、・・・等が接続されている。上記工場内ネットワーク１は、例えばイーサネット（登録商標）やＲＳ２３２Ｃなどの種々のネットワークで構成されている。工場内ネットワーク１とＦＡ機器２、３、４との間のインターフェースとしては、例えばＯＲｉＮ（Ｏｐｅｎ  Ｒｏｂｏｔ  ｉｎｔｅｒｆａｃｅ  ｆｏｒ  ｔｈｅ  Ｎｅｔｗｏｒｋ）が使用されている。
【００１０】
そして、上記工場内ネットワーク１には、パン・チルト・ズーム機能及びオートフォーカス機能を有するビデオカメラ装置５が接続されている。このビデオカメラ装置５は、例えば市販されているネットワークカメラまたはカメラサーバで構成されており、ビデオカメラとビデオサーバとから構成されている。尚、ビデオカメラ装置５を、カメラサーバモジュールと呼んでも良い。
【００１１】
上記ビデオカメラ装置５は、撮影したビデオ画像データ（ビデオ画像情報）を工場内ネットワーク１を介して外部（工場内ネットワーク１に接続された機器）へ送信する機能と、外部（工場内ネットワーク１に接続された機器）からパン・チルト・ズーム機能を遠隔操作するための操作信号を工場内ネットワーク１を介して受信する機能とを有している。
そして、上記ビデオカメラ装置５は、１個以上（複数）、例えば最大で１２個設置することが可能なように構成されている（図１には１台だけ図示）。各ビデオカメラ装置５は、監視対象設備のＦＡ機器、即ち、原因不明の異常が発生したＦＡ機器の周辺（近傍）に設置されている。ここで、上記原因不明の異常としては、例えば、不定期（散発的、例えば１ヶ月または１週間に１回というようなレベル）に発生するＦＡ機器の不具合、例えば、チョコ停、組み付け不良などの異常がある。これらの異常は、異常（不具合）発生状況を作業者が誰も見ていないことから、不具合に至る過程がわからず、真因追究に時間がかかる、また、的を得た対策をなかなか実施することができない、また、不具合結果から推測で対策を実施するしかないというような事情がある異常である。
【００１２】
さて、上記工場内ネットワーク１には、パソコン６が接続されており、このパソコン６は、上記ビデオカメラ装置５からのビデオ画像データを受信して記録する機能と、上記ビデオカメラ装置５へパン・チルト・ズーム機能を遠隔操作するための操作信号を生成して送信する機能とを有している。この場合、パソコン６は、記録手段、記録開始条件設定手段、指令送信手段、及び、指令送信条件設定手段としての各機能を有している。尚、上記パソコン６を、メインモジュールと呼んでも良い。
【００１３】
更に、上記工場内ネットワーク１には、データ取得部７が接続されている。このデータ取得部７は、各種のＦＡ機器２、３、４から出力される種々の情報、例えば、ＩＯのトリガー信号や品番やツール番号やパレット番号等の製造作業に関連する種々の関連情報を、工場内ネットワーク１を介して受信して取得する機能を有している。この場合、各種のＦＡ機器２、３、４としては通信のプロトコルが異なっているものが混在しているが、データ取得部７はそれらプロトコルが異なる種々の関連情報を汎用（標準）のデータ形式に変換し、この変換した関連情報（関連データ）を工場内ネットワーク１を介してパソコン６へ送信する機能を有している。
【００１４】
本実施例では、上記データ取得部７は、例えばパソコン（即ち、パソコン上で動作するプログラム）で構成されている。そして、このパソコン（データ取得部７）においては、各種のＦＡ機器２、３、４・・・から出力される情報（データ）を汎用のデータ形式に変換するために必要な種々のデータ（ＦＡ機器の名称（コントローラ名）、情報の名称（アイテム名）、プロトコルの種類、通信パラーメータの種類、データ形式等のデータ）を、各ＦＡ機器２、３、４・・・（の各情報）毎にユーザーが入力（設定）することが可能なように構成されている。尚、このような構成のデータ取得部７を実際に構成するに当たっては、周知のもの（即ち、既に論文等で発表された構成（例えばＲＡＯ−ＳＱＬ））を使用して構成することが好ましい。また、上記データ取得部７を、データサーバモジュールと呼んでも良い。
【００１５】
尚、本実施例においては、前記パソコン６とは異なる別のパソコンで上記データ取得部７を構成したが、これに代えて、データ取得部７の機能を前記パソコン６に内蔵するように構成しても良い。即ち、１つのパソコン６に、２つのモジュール（メインモジュールとデータサーバモジュール）の機能を組み込むように構成しても良い。
そして、上記構成の場合、ビデオカメラ装置５、パソコン６及びデータ取得部７からビデオ画像記録装置８が構成されている。
【００１６】
次に、パソコン６の動作について、図２ないし図５も参照して説明する。本実施例においては、例えばイメージロガーというアプリケーションプログラムをパソコン６上で実行させることにより、パソコン６がビデオ画像記録装置８の記録手段、記録開始条件設定手段、指令送信手段及び指令送信条件設定手段としての各機能（即ち、メインモジュールとしての機能）を実現するように構成されている。
【００１７】
ここで、上記イメージロガーの機能の概略について簡単に説明する。イメージロガーは、ビデオカメラ装置５により撮影したビデオ画像データを手動録画（ユーザーが手動操作により任意に開始する録画）する機能と、自動録画（各種のＦＡ機器から出力される種々の情報を取得して設定された条件が成立した時点で録画）する機能とがある。以下、イメージロガーの録画機能（主に自動録画機能）の概略について説明する。
【００１８】
まず、ビデオカメラ装置５により撮影したビデオ画像を長時間録画することができる。上記構成の場合、パソコン６に設けられた大容量記憶装置（ＨＤＤ等）の容量制限以外の制限は無くなる。
また、録画するビデオ画像の画質としては、ＶＴＲ並みの画質（３０フレーム／秒）を確保している。尚、撮影対象の動きが遅い場合には、画質を落として録画（記録）時間を長くすることが可能なように構成されている。本実施例の場合、録画時間を１００倍（１００倍録画）まで長くする設定が可能になっている。
【００１９】
撮影した画像の記録のタイミングについては、データ取得部７から撮影のタイミングとなるトリガデータを取得し、予め設定された条件が成立したときに、記録するように構成されている。記録するビデオ画像のフレーム数、条件成立時点の前後の記録割合の比率は、任意に設定可能なように構成されている。これにより、条件成立時点よりも以前（過去）のビデオ画像を記録（録画）することができる。また、トリガデータのサンプリング周期も、例えば１０ｍｓから１０ｍｉｎの間で設定可能なように構成されている。
【００２０】
撮影した画像の記録開始の条件については、例えば「ある品番に、ある部品を、あるツールを使用して組み付ける」場合などを含めて、各種のデータのＡＮＤ／ＯＲの論理演算結果の成立がトリガとなる場合も、それぞれ条件として設定可能な構成となっている。また、時刻を条件（例えば、毎日１３：００に記録開始など）とすることも可能な構成となっている。
【００２１】
撮影の記録の回数については、撮影の記録開始の条件が成立するたびに、上記設定フレーム数だけ記録可能なように構成されており、複数回の記録（録画）を実行できるように構成されている。
また、イメージロガーは、ビデオカメラ装置５をリモート操作することが可能なように構成されている。この場合、イメージロガーからビデオカメラ装置５へビデオカメラ装置５を移動、即ち、ビデオカメラ装置５のパン・チルト・ズーム機能を動作させる操作指令を送信することにより、ビデオカメラ装置５の撮影位置（モニタ位置）を移動させることができるように構成されている。これにより、撮影対象の移動に対応することが可能な構成となっている。
【００２２】
そして、前記記録開始の条件の設定に加えて、カメラを移動させるトリガの条件を設定可能なように構成されており、予め設定されたカメラ移動のトリガの条件が成立したときに、ビデオカメラ装置５を移動、即ち、パン・チルト・ズーム機能を動作させるための操作指令をビデオカメラ装置５へ送信することにより、カメラを自動的に移動させることが可能なように構成されている。
【００２３】
尚、カメラ移動トリガの条件は、複数例えば３０個設定することができる。このカメラ移動トリガの条件の設定方法は、撮影画像の記録開始の条件の設定方法とほぼ同じであり、トリガデータのサンプリング周期の設定も同じである。また、カメラ移動トリガの条件を撮影の記録開始の条件に同期させることも可能であるし、両者を独立させることも可能なように構成されている。
【００２４】
更に、ビデオカメラ装置５（の撮影位置）を移動（パン・チルト・ズーム機能を動作）させるだけでは、撮影対象の移動に対応できないような場合に備えて、複数のビデオカメラ装置５の中から記録対象のビデオカメラ装置５を切り替えることが可能なように構成されている。本実施例の場合、複数例えば１２台（１２チャンネル）のビデオカメラ装置５の中から任意の１つを選択するように切り替え可能な構成となっている。尚、ビデオカメラ装置５を１台しか設置しない場合には、切り替えはできない。
【００２５】
また、記録するビデオ画像情報に関連する情報（関連データ）として、各種のＦＡ機器２、３、４から出力される種々の情報を収集し、この収集した関連データを前記ビデオ画像データに対応（リンク）させて記録することが可能なように構成されている。ここで、関連データを収集する処理は、前記データ取得部７により実行されるようになっている。
このデータ取得部７は、各種のＦＡ機器２、３、４から出力されるプロトコルが異なる種々の関連データ（ＩＯのトリガー信号や品番やツール番号やパレット番号等の製造作業に関連する種々の情報）を収集し、これら収集した関連データをプロトコル変換して汎用（標準）のデータ形式に変換し、この変換した関連情報（関連データ）をパソコン６へ出力するように構成されている。
【００２６】
この構成の場合、データ取得部７は、整数や実数等の単純型のデータだけでなく、文字列や、それらの配列である場合のデータも、予め設定されたリクエストデータ型のデータにリアルタイムで変換することができると共に、これによって、データを正規化することができるように構成されている。
尚、上記関連データの収集のタイミングは、ビデオ画像の記録開始のタイミング（条件）に同期させている。即ち、ビデオ画像の記録開始の条件が成立した時点において収集された関連データを、ビデオ画像データと同時に（ビデオ画像データに関連付けて）記録することが可能なように構成されている。
【００２７】
次に、イメージロガーの動作について具体的に説明する。イメージロガーを起動すると、前回作成または使用した設定ファイルを読み込む。この設定ファイルには、チャンネル、記録（録画）の条件、アイテム、記録（録画）開始条件、カメラの移動条件等の各設定内容が格納されている。上記設定ファイルが存在しない場合には、設定ファイルを作成する処理、即ち、イメージロガーの設定処理を実行するように構成されている。
【００２８】
上記イメージロガーの設定においては、図２に示す画面（パソコン６の表示装置の画面）で、まず、録画設定を実行する。この場合、最初にチャンネルの設定を行う。即ち、設置するビデオカメラ装置５のカメラ名称とＵＲＬ（アドレス）を、チャンネル１から順番に割り当てて入力していく。１２チャンネル（１２台のビデオカメラ装置５）まで割り当てることが可能である。尚、不要になったチャンネルは、削除することができる。
【００２９】
次に、記録（録画）するビデオ画像のフレーム数（設定データ量）と、記録開始条件が成立した時点（トリガ発生時点）の前後の撮影フレーム数の割合と、録画時間の倍率とを設定する。この場合、記録するフレーム数を例えば３００とし、ビデオ画像の画質を３０フレーム／秒とすると、１０秒間録画することができる。そして、本実施例の場合、ビデオ画像の画質を下げることにより、１００倍まで、録画時間を長くすることができるように構成されている。また、トリガ発生時点の前後の撮影フレーム数の割合を例えば７０％とすると、トリガ発生前の撮影フレーム数が２１０、トリガ発生後の撮影フレーム数が９０となる。
【００３０】
続いて、ビデオ画像データの記録と同時に記録する関連データの項目を登録（設定）する処理を行う。この設定処理は、図３に示すトリガ・アイテム設定の画面で実行する。このうちのアイテム設定では、記録する情報を持つアイテムを登録する。具体的には、コントローラ名（各ＦＡ機器のコントローラの名称）と、アイテム名（各ＦＡ機器から出力される情報が格納されているデータ項目（アイテム）の名称）とを選択して登録するように構成されている。ここで登録された各アイテムに格納されたデータが、関連データとしてビデオ画像データと同時に（リンクされて）記録されるように構成されている。
【００３１】
そして、トリガ設定では、記録開始条件（トリガ発生条件）を設定する。この場合、コントローラ名と、アイテム名と、条件と、条件判定値（トリガ設定値）とを選択または入力して登録するように構成されている。加えて、記録開始条件が成立した時点（トリガ発生時点）に１度のみ（初回のみ）記録するか、記録開始条件が成立した時点で毎回（繰り返し）記録するかの選択設定を行う構成となっている。
【００３２】
次に、ビデオカメラ装置５を移動させる条件と、移動させるカメラ位置とを設定する処理を、図４に示すトリガ・ＰＴＺ設定の画面で実行する。この場合、まず、前述したトリガ・アイテム設定と同様にして、コントローラ名と、アイテム名と、条件と、条件判定値（トリガ設定値）とを選択または入力して登録するように構成されている。加えて、この設定においては、移動させるビデオカメラ装置５のチャンネルの名称（チャンネル名）と、移動先を示すカメラ位置の名称（カメラ位置名）とを選択または入力して登録する構成となっている。
【００３３】
ここで、上記カメラ位置は、以下、説明するようにして予め登録しておくように構成されている。即ち、ビデオカメラ装置５をイメージロガーによって手動でリモート（遠隔）操作するモードにおいて、パソコン６の表示画面にビデオカメラ装置５により撮影したビデオ画像を表示している状態で、そのビデオ画像を見ながら、ビデオカメラ装置５をリモート操作する。このとき、図５に示すようなリモート操作用のツールボックスをパソコン６の表示画面に表示させて手動操作を行うように構成されている。
【００３４】
この構成の場合、上記ツールボックスの各キーを操作することにより、ビデオカメラ装置５のパン機能、チルト機能、ズーム機能をそれぞれリモート操作することができる構成となっている。そして、ビデオカメラ装置５のフォーカス機能と、絞り機能については、自動または手動を選択することができ、手動を選択したときに、フォーカス機能と絞り機能とをそれぞれリモート操作することができる。
【００３５】
更に、ビデオカメラ装置５によって現在撮影している状態（モニタ状態）を、移動先のカメラ位置として登録（設定）することが可能なように構成されている。このカメラ位置を登録する場合、カメラ位置の名称（カメラ位置名）を入力して登録する。カメラ位置は、複数登録することができるし、また、削除することも、また、登録内容を変更することも可能である。
【００３６】
さて、以上説明したようにして各種の設定を完了（設定ファイルを作成）した後、イメージロガーにおいて、ビデオカメラ装置５により撮影した現在のビデオ画像を表示させる操作を実行すると、イメージロガー（パソコン６）の画面に上記現在のビデオ画像がリアルタイムに表示されるように構成されている。そして、複数のビデオカメラ装置５が設置されている場合には、ユーザーは、チャンネル切替操作を行うことにより、イメージロガー（パソコン６）の画面に表示するビデオカメラ装置５（のビデオ画像）を切り替えることが可能なように構成されている。
【００３７】
そして、ビデオ画像を手動録画する場合には、上記したようにビデオ画像を表示している状態で、ユーザーが録画操作（手動録画ボタンを押す）を実行すると、ビデオ画像が録画（記録）されるように構成されている。
一方、自動録画は、ユーザーが自動録画操作（自動録画ボタンを押す）を実行すると、自動録画モード（録画待機状態）となる。この状態で、前記したように設定した記録開始条件が成立した時点（トリガ発生時点）で、ビデオ画像の記録（トリガ録画）が自動的に開始されるように構成されている。このとき、記録開始条件が成立した時点の前後の撮影フレーム数の割合（予め設定されている割合）に応じて、記録開始条件が成立した時点の前（過去）の時点からビデオ画像を設定されたフレーム数（設定データ量）だけ記録されるように構成されている。
【００３８】
この構成の場合、ビデオカメラ装置５から送信されてきたビデオ画像データは、所定の大きさのキャッシュメモリに逐次一時的に記録されて更新されるように構成されており、このキャッシュメモリに現在時点よりもある程度過去までのビデオ画像データが一時的に記録されている。従って、上記キャッシュメモリから記録開始条件が成立した時点の前のビデオ画像データを読み出して、所定の画像記録用メモリに転送し、この画像記録用メモリの内容（記録すべきビデオ画像データ）を設定された画像記録ファイル（録画画像ファイル）に書き込むように構成されている。
【００３９】
そして、録画が完了すると、停止状態となるが、繰り返し録画の設定が有効になっている場合には、自動的に録画待機状態となるように構成されている。この後、上記録画待機状態で、予め設定されている記録開始条件が再び成立すると、その成立時点で、自動録画が再び自動的に実行されるように構成されている。尚、上記した自動録画中も、イメージロガー（パソコン６）の画面には、現在撮影（録画）中のビデオ画像が表示されるように構成されている。
【００４０】
また、上記自動録画が実行されるときには、その録画開始時点（前記記録開始条件が成立する時点）においてデータ取得部７により収集された関連データ（各種のＦＡ機器２、３、４等から出力される種々のデータであって予め収集用データとして設定されたデータ）が上記画像記録ファイルと関連（リンク）付けられて関連データフィルとして記録されるように構成されている。
【００４１】
一方、記録されたビデオ画像データをユーザーが見たい（再生したい）場合には、記録された画像記録ファイルの一覧表が表示されている画面で所望のファイルを選択すると、その選択した画像記録ファイル、即ち、ビデオ画像データを画面に表示（再生）することできるように構成されている。そして、このとき、画像記録ファイルに関連付けられた関連データファイルの内容も表示させることが可能な構成となっている。また、記録されている画像記録ファイル及び関連データファイルは、工場内ネットワーク１に接続された他の機器（パソコン等）に転送して利用することが可能なように構成されている。
【００４２】
次に、予め設定されたカメラ移動トリガの条件が成立したときには、ビデオカメラ装置５を予め設定されたカメラ位置へ自動的に移動させる、即ち、パン・チルト・ズーム機能を動作させるように構成されている。尚、この自動カメラ移動処理は、前述した自動録画モード、即ち、自動録画の待機状態において実行される構成となっている。
また、上記カメラ移動を実行する際に、チャンネルの切り替えが設定されているときには、設定されたチャンネルに切り替えると共に、その切り替えたチャンネルのビデオカメラ装置５を設定されたカメラ位置へ自動的に移動させるように構成されている。
【００４３】
尚、ビデオ画像の記録開始条件と、カメラ移動のトリガ条件とが全く同じ条件であった場合には、条件成立時点で、まず、画像の記録（条件成立時点の前の画像の記録）が実行され、同時に、カメラの移動が実行されるように構成されている。このため、条件成立時点の前後でカメラ位置（撮影画面）が変わることになる。
このような構成の本実施例においては、パン・チルト・ズーム機能を工場内ネットワーク１を介して遠隔操作可能なビデオカメラ装置５を備え、工場内ネットワーク１に接続されビデオカメラ装置５から送信されたビデオ画像データを受信して記録開始条件が成立した時点で前記ビデオ画像データを設定データ量だけ記録するパソコン６を備え、そして、パソコン６により前記記録開始条件を設定可能に構成し、更に、パソコン６により前記ビデオカメラ装置５へ指令送信条件が成立した時点でパン・チルト・ズーム機能を動作させる操作指令を送信するように構成し、また、パソコン６により前記指令送信条件を設定可能に構成した。
【００４４】
この構成によれば、ビデオカメラ装置５とパソコン６（記録手段）をそれぞれ工場内ネットワーク１に接続するように、即ち、ビデオカメラ装置５とパソコン６を分散配置するように構成したので、ビデオカメラ装置５の構成を小さくすることができ、ビデオカメラ装置５（ひいてはビデオ画像記録装置８全体）を設置する際の作業性を向上させることができる。
【００４５】
また、上記実施例においては、各種のＦＡ機器２、３、４から出力される種々の情報を工場内ネットワーク１を介して取得するデータ取得部７を備え、そして、パソコン６によって、前記ビデオ画像データと対応させて、データ取得部７により取得された情報を記録するように構成した。この構成によれば、ＦＡ機器２、３、４に異常が発生したときの状況を示すビデオ画像データと、そのときに各種のＦＡ機器２、３、４から出力される種々の情報（関連データ）とが得られるので、不定期に発生するＦＡ機器の不具合、例えば、チョコ停、組み付け不良などの異常（発生状況を作業者が誰も見ていない異常）の真因追究が容易となり、的を得た対策を実施することができる。
【００４６】
更に、上記実施例では、パソコン６によりビデオ画像データを設定データ量だけ記録するように構成したので、記録するビデオ画像データのデータ量をユーザーが希望するデータ量、即ち、適切なデータ量とすることができる。
更にまた、上記実施例においては、パソコン６により、記録開始条件が成立した時点よりも前の時点からビデオ画像データを記録するように構成したので、異常が発生する前のＦＡ機器２、３、４の状況も視認することができるから、異常の原因追求をより一層実行し易くなる。
【００４７】
また、上記実施例では、３つのサーバモジュール、即ち、ビデオカメラ装置５（カメラサーバモジュール）、パソコン６（メインモジュール）及びデータ取得部７（データサーバモジュール）を備える構成としたので、（１つまたは２つのサーバモジュールで構成する場合に比べて）各サーバモジュールの各ＣＰＵの負荷を軽減することができる。
【図面の簡単な説明】
【００４８】
【図１】本発明の一実施例を示すものであり、工場内ネットワークに接続されたＦＡ機器及びビデオ画像記録装置を示すブロック図
【図２】イメージロガーの録画設定の画面を示す図
【図３】イメージロガーのトリガアイテム設定の画面を示す図
【図４】イメージロガーのトリガ・ＰＴＺ設定の画面を示す図
【図５】イメージロガーのカメラコントロールのツールボックスの画面を示す図
【符号の説明】
【００４９】
図面中、１は工場内ネットワーク（ＬＡＮ）、２はＰＬＣ（ＦＡ機器）、３は産業用ロボット（ＦＡ機器）、４は産業用ロボット（ＦＡ機器）、５はビデオカメラ装置、６はパソコン（記録手段、記録開始条件設定手段、指令送信手段、指令送信条件設定手段）、７はデータ取得部、８はビデオ画像記録装置を示す。
【図１】
2005151294.tif 000003
【図２】
2005151294.tif 000004
【図３】
2005151294.tif 000005
【図４】
2005151294.tif 000006
【図５】
2005151294.tif 000007